(57)【要約】【課題】速結端子のバネ部が過剰に変形するのを抑える。【解決手段】端子部３０の内部には、速結端子４０が収納される。端子部３０には、解除孔３８が形成される。解除孔３８は、速結端子４０のバネ部４１を臨む位置に開口している。フランジ部２１には、開口部２４が開口している。開口部２４は、解除孔３８と交差する方向に延びて解除孔３８に連通している。【選択図】図７
2020136207.tif 000002
【特許請求の範囲】
【請求項１】
光源ユニットを着脱可能に取り付けるためのソケットであって、
平板状のフランジ部と、
前記フランジ部に設けられ、内部に速結端子が収納された端子部とを備え、
前記端子部には、前記速結端子に繋ぐ導電線を挿入する挿入口と、該速結端子のバネ部を臨む位置に開口する解除孔とが形成され、
前記フランジ部には、前記解除孔と交差する方向に開口して該解除孔に連通する開口部が形成されているソケット。
【請求項２】
請求項１において、
前記解除孔の内面には、前記開口部から前記速結端子のバネ部に向かって該解除孔の孔径が小さくなるように傾斜した傾斜部が設けられているソケット。
【請求項３】
請求項１又は２において、
前記端子部には、前記挿入口と略平行に延びて該解除孔に連通する貫通口が形成されているソケット。
【請求項４】
請求項１乃至３のうち何れか１つにおいて、
前記フランジ部は、径方向の中央位置に中央開口が形成され、
前記端子部は、前記中央開口を挟んで前記フランジ部に一対設けられ、
前記挿入口は、前記一対の端子部における厚み方向に直交する方向の一端側にそれぞれ開口しており、
前記開口部は、前記フランジ部における前記端子部が設けられた面とは反対側の面にそれぞれ開口しているソケット。
【請求項５】
請求項１乃至４のうち何れか１つに記載のソケットと、
前記ソケットに着脱可能に取り付けられた光源ユニットとを備えた照明器具。
【発明の詳細な説明】
【技術分野】
【０００１】
本発明は、ソケット及び照明器具に関するものである。
【背景技術】
【０００２】
特許文献１には、ホルダの係入口を介して係止孔にリード線の素線を挿入し、速結端子（バネ接点）のバネ部（端片）を素線の側面に弾接させることで、リード線を速結端子に電気的に接続するようにした構成が開示されている。
【０００３】
ここで、リード線をホルダから取り外す際には、ホルダの係入口から解除ピンを差し込んで速結端子のバネ部の先端を押圧し、バネ部を弾性変形させるようにしている。
【先行技術文献】
【特許文献】
【０００４】
【特許文献１】特開２０１１−７０９０１号公報
【発明の概要】
【発明が解決しようとする課題】
【０００５】
ところで、特許文献１の発明では、ホルダの係入口から解除ピンを差し込む構成となっており、リード線を挿入する孔と、解除ピンを差し込む孔とが、同一面に開口している。そのため、ホルダの係入口の内部における解除ピンの可動域が大きくなっている。
【０００６】
そして、解除ピンを係入口の内部で自由に動かしてしまうと、速結端子のバネ部が解除ピンでこじられてしまい、速結端子のバネ部が過剰に変形してしまうおそれがある。
【０００７】
本発明は、かかる点に鑑みてなされたものであり、その目的は、速結端子のバネ部が過剰に変形するのを抑えることにある。
【課題を解決するための手段】
【０００８】
本発明は、光源ユニットを着脱可能に取り付けるためのソケットを対象とし、次のような解決手段を講じた。
【０００９】
すなわち、第１の発明は、平板状のフランジ部と、前記フランジ部に設けられ、内部に速結端子が収納された端子部とを備え、前記端子部には、前記速結端子に繋ぐ導電線を挿入する挿入口と、該速結端子のバネ部を臨む位置に開口する解除孔とが形成され、前記フランジ部には、前記解除孔と交差する方向に開口して該解除孔に連通する開口部が形成されている。
【００１０】
第１の発明では、端子部の内部には、速結端子が収納される。端子部には、解除孔が形成される。解除孔は、速結端子のバネ部を臨む位置に開口している。フランジ部には、開口部が開口している。開口部は、解除孔と交差する方向に延びて解除孔に連通している。
【００１１】
これにより、速結端子のバネ部が過剰に変形するのを抑えることができる。
【００１２】
具体的に、速結端子に繋いだ導電線を取り外すためには、速結端子のバネ部を解除ピンで押圧して弾性変形させ、導電線と速結端子との係合状態を解除する必要がある。このとき、解除ピンを解除孔の内部で自由に動かしてしまうと、速結端子のバネ部が過剰に変形してしまうおそれがある。
【００１３】
そこで、本発明では、解除孔と交差する方向に開口部を形成し、開口部から解除孔に向かって解除ピンを挿入するようにしている。このとき、解除ピンは、開口部の周縁部に当接しながら解除孔に差し込まれるので、解除ピンが所定の姿勢に保たれることとなる。
【００１４】
このように、解除孔の内部における解除ピンの自由な移動を規制することで、速結端子のバネ部が解除ピンでこじられて過剰に変形するのを抑えることができる。
【００１５】
第２の発明は、第１の発明において、前記解除孔の内面には、前記開口部から前記速結端子のバネ部に向かって該解除孔の孔径が小さくなるように傾斜した傾斜部が設けられている。
【００１６】
第２の発明では、解除孔の内面に傾斜部が設けられる。傾斜部によって、開口部から速結端子のバネ部に向かって解除孔の孔径が小さくなっている。これにより、開口部から解除孔に差し込んだ解除ピンを、解除孔の傾斜部に沿ってガイドしながら、速結端子のバネ部までスムーズに導くことができる。
【００１７】
第３の発明は、第１又は第２の発明において、前記端子部には、前記挿入口と略平行に延びて該解除孔に連通する貫通口が形成されている。
【００１８】
第３の発明では、端子部には、貫通口が形成される。貫通口は、挿入口と略平行に延びて解除孔に連通している。
【００１９】
これにより、例えば、樹脂成形によって端子部を作成する場合に、解除孔を形成するための金型を、貫通口の軸方向に沿ってスムーズに型抜きすることができる。
【００２０】
第４の発明は、第１乃至第３の発明うち何れか１つにおいて、前記フランジ部は、径方向の中央位置に中央開口が形成され、前記端子部は、前記中央開口を挟んで前記フランジ部に一対設けられ、前記挿入口は、前記一対の端子部における厚み方向に直交する方向の一端側にそれぞれ開口しており、前記開口部は、前記フランジ部における前記端子部が設けられた面とは反対側の面にそれぞれ開口している。
【００２１】
第４の発明では、中央開口を挟んでフランジ部に一対の端子部が設けられる。一対の端子部における厚み方向に直交する方向の一端側に、挿入口がそれぞれ開口している。これにより、一対の端子部の同じ方向から導電線を抜き差しすることができる。
【００２２】
また、開口部は、フランジ部における端子部が設けられた面とは反対側の面にそれぞれ開口している。これにより、導電線が邪魔になることなく、フランジ部の厚み方向から開口部に解除ピンを差し込むことができる。
【００２３】
第５の発明は、第１乃至第４の発明のうち何れか１つに記載のソケットと、前記ソケットに着脱可能に取り付けられた光源ユニットとを備えた照明器具である。
【００２４】
第５の発明では、第１乃至第４の発明のうち何れか１つに記載のソケットに、光源ユニットを着脱可能に取り付けることで、照明器具を構成するようにしている。
【発明の効果】
【００２５】
本発明によれば、速結端子のバネ部が過剰に変形するのを抑えることができる。
【図面の簡単な説明】
【００２６】
【図１】本実施形態に係る照明器具の構成を示す側面図である。
【図２】端子部側から見たソケットの構成を示す平面図である。
【図３】端子部の蓋体を取り外したときのソケットの構成を示す平面図である。
【図４】光源ユニットの装着面側から見たソケットの構成を示す平面図である。
【図５】光源ユニットをソケットに取り付ける状態を示す側面図である。
【図６】端子部の内部構成を示す側面断面図である。
【図７】解除ピンを解除孔に差し込んだ状態を示す側面断面図である。
【発明を実施するための形態】
【００２７】
以下、本発明の実施形態を図面に基づいて説明する。なお、以下の好ましい実施形態の説明は、本質的に例示に過ぎず、本発明、その適用物或いはその用途を制限することを意図するものではない。
【００２８】
図１に示すように、照明器具１０は、例えば、住宅等の天井に埋込配設され、下方に向けて光を照射する。照明器具１０は、取付板１に取り付けられている。取付板１には、端子台２が設けられている。照明器具１０は、器具筐体１１と、光源ユニット１２と、ソケット２０とを備えている。
【００２９】
器具筐体１１は、下方が開口する有底筒状の部材で構成されている。器具筐体１１は、光源ユニット１２が取り付けられる取付台であるとともに、光源ユニット１２で発生する熱を放熱するヒートシンクとしても機能する。器具筐体１１は、例えば、アルミニウムのような熱伝導率の高い材質で構成されている。器具筐体１１の上部には、複数の放熱フィン（図示省略）が設けられている。
【００３０】
光源ユニット１２は、発光モジュールとして、例えば、ＬＥＤ（Light Emitting Diode）を有する。光源ユニット１２は、回転支持部材１５を介して器具筐体１１の内部に支持されている。回転支持部材１５は、光源ユニット１２及びソケット２０を保持する保持部材１６と、保持部材１６を回転可能に支持する回転支持アーム１７とを有する。これにより、光源ユニット１２を任意の姿勢に回転させ、光の照射方向を調整することができる。
【００３１】
光源ユニット１２は、例えば、ＧＸ５３という口金を有するランプで構成されている。光源ユニット１２は、ソケット２０に着脱可能に取り付けられている。ソケット２０には、導電線としての電源ケーブル１８（図２参照）を介して外部の商用電力が入力される。ソケット２０に入力された電力は、光源ユニット１２に供給される。
【００３２】
図２に示すように、ソケット２０は、フランジ部２１と、端子部３０と、スペーサ部２５とを有する。
【００３３】
フランジ部２１は、平板状の部材で構成されている。フランジ部２１の径方向の中央位置には、中央開口２２が形成されている。フランジ部２１における中央開口２２の周縁部には、筒状部２３が立設している。
【００３４】
フランジ部２１における筒状部２３が立設する側の面には、一対の端子部３０が設けられている。一対の端子部３０は、中央開口２２を挟んで図２で左右に配置されている。端子部３０は、フランジ部２１から立設する周壁部３１（図３参照）と、周壁部３１の立設側の開口を覆う蓋体３２とを有する。周壁部３１及び蓋体３２によって、端子部３０の内部に収納空間が区画されている。
【００３５】
端子部３０には、電源ケーブル１８を挿入する筒状のケーブル挿入口３３が設けられている。ケーブル挿入口３３は、端子部３０における厚み方向に直交する方向の一端側（図２では上端側）の周壁部３１にそれぞれ開口している。
【００３６】
図３に示すように、端子部３０の内部には、速結端子４０と、板バネ部材４５とが収納されている。端子部３０におけるフランジ部２１側の面には、長孔状のピン挿入口３４が形成されている。ピン挿入口３４は、端子部３０の内部に連通している。ピン挿入口３４には、光源ユニット１２のピン端子１３が挿入される。
【００３７】
速結端子４０は、バネ部４１と、接点部４２と、導電部４３とを有する（図６も参照）。速結端子４０のバネ部４１、接点部４２、導電部４３は、１枚の導電板を折り曲げることで一体に形成されている。バネ部４１は、鎖錠バネで構成されている。電源ケーブル１８は、速結端子４０のバネ部４１に挟み込まれることで、速結端子４０に電気的に接続されている。
【００３８】
図３で左側の速結端子４０の導電部４３は、ピン挿入口３４を覆うように延びている。そして、左側の速結端子４０の接点部４２は、ピン挿入口３４の下側端部に配置されている。
【００３９】
図３で右側の速結端子４０の導電部４３は、ピン挿入口３４の上側端部まで延びている。そして、右側の速結端子４０の接点部４２は、ピン挿入口３４の上側端部に配置されている。
【００４０】
板バネ部材４５は、ピン挿入口３４の長手方向（図３で上下方向）に沿って延びている。板バネ部材４５は、ピン挿入口３４に向かって突出するように折り曲げられた屈曲部４６を有する。ピン端子１３は、速結端子４０の接点部４２と板バネ部材４５の屈曲部４６との間に挟み込まれる。
【００４１】
スペーサ部２５は、一対の端子部３０の長手方向の両端部にそれぞれ配置されている。スペーサ部２５は、図示しない締結ネジ（図示省略）によって、回転支持部材１５の保持部材１６（図１参照）に締結固定される。
【００４２】
電源ケーブル１８は、端子部３０のケーブル挿入口３３に接続されるとともに、筒状部２３とスペーサ部２５との隙間を通って配索される。ここで、ケーブル挿入口３３は、スペーサ部２５に対向する周縁部の一部が切り欠かれている。
【００４３】
これにより、ケーブル挿入口３３の切欠き部分から電源ケーブル１８を引き出して、電源ケーブル１８を筒状部２３とスペーサ部２５との隙間に配索することができるので、電源ケーブル１８を無理に折り曲げる必要が無く、断線を抑えることができる。
【００４４】
フランジ部２１における左右のスペーサ部２５の間には、一対のケーブル規制部５０が設けられている。ケーブル規制部５０は、フランジ部２１に設けられた立設部５１と、立設部５１の先端で折り返されたフック部５２とを有する（図５参照）。そして、フック部５２に電源ケーブル１８を係止することで、電源ケーブル１８がフランジ部２１から離れる方向に移動するのを規制することができる。
【００４５】
図４に示すように、フランジ部２１における光源ユニット１２が装着される面には、ピン端子１３が挿入される長孔状のピン挿入口３４と、解除ピン５５（図７参照）が挿入される開口部２４とが形成されている。
【００４６】
そして、光源ユニット１２のピン端子１３をピン挿入口３４に挿入して、図４で時計回り方向に光源ユニット１２を回転させる。これにより、左右のピン端子１３を、左右の速結端子４０の接点部４２にそれぞれ電気的に接続することができる。
【００４７】
ここで、図５に示すように、光源ユニット１２の外周面には、嵌合溝１２ａが形成されている。また、フランジ部２１の中央開口２２には、径方向内側に突出する嵌合爪２１ａ（図４参照）が設けられている。そのため、光源ユニット１２をソケット２０に対して回転させたときに、嵌合溝１２ａに嵌合爪２１ａが嵌合され、光源ユニット１２が軸方向に脱落しなくなる。これにより、光源ユニット１２がソケット２０に装着される。
【００４８】
図６に示すように、端子部３０の内部には、第１空間３５と、第２空間３６とが設けられている。図６では、図４で左側の端子部３０の内部構造を示している。第１空間３５は、ケーブル挿入口３３に連通している。ケーブル挿入口３３は、端子部３０の周壁部３１から径方向外側（図６で左側）に延びている。
【００４９】
第２空間３６は、ピン挿入口３４に連通している。ピン挿入口３４は、ケーブル挿入口３３と交差する方向（図６で下方向）に開口している。第２空間３６は、第１空間３５よりも下方に位置している。
【００５０】
第１空間３５と第２空間３６とは、絶縁壁部３７で仕切られている。絶縁壁部３７は、ピン挿入口３４の周縁部から立設して、ピン端子１３の上方を覆うように水平方向に延びた後で、蓋体３２に向かって上方に延びている。絶縁壁部３７の上端部と蓋体３２の下面との間には、速結端子４０の導電部４３が通る隙間が設けられている。
【００５１】
第１空間３５には、速結端子４０のバネ部４１が収納されている。第２空間３６には、速結端子４０の接点部４２が収納されている。ピン端子１３は、光源ユニット１２の回転に伴って第２空間３６内を移動して、速結端子４０の接点部４２に電気的に接続される。
【００５２】
電源ケーブル１８は、先端の被覆部が剥離されることで素線が露出している。電源ケーブル１８は、ケーブル挿入口３３から差し込まれることで、電源ケーブル１８の素線が速結端子４０のバネ部４１に挟み込まれる。これにより、電源ケーブル１８が速結端子４０のバネ部４１に電気的に接続される。
【００５３】
ここで、速結端子４０のバネ部４１と接点部４２は、導電部４３によって繋がっているので、電源ケーブル１８とピン端子１３とは、速結端子４０を介して電気的に接続される。
【００５４】
端子部３０の図６で左側の周壁部３１には、解除孔３８が形成されている。解除孔３８は、速結端子４０のバネ部４１を臨む位置に開口している。フランジ部２１における端子部３０が設けられた面とは反対側（図６で下側）には、開口部２４が開口している。開口部２４は、解除孔３８に交差する方向に延びて、解除孔３８に連通している。
【００５５】
解除孔３８の内面には、傾斜部３８ａが設けられている。傾斜部３８ａは、開口部２４から速結端子４０のバネ部４１に向かって解除孔３８の孔径が小さくなるように傾斜している。
【００５６】
端子部３０には、貫通口３９が形成されている。貫通口３９は、ケーブル挿入口３３と略平行に延びて解除孔３８に連通している。
【００５７】
ここで、電源ケーブル１８を速結端子４０のバネ部４１から取り外す際には、図７に示すように、フランジ部２１の開口部２４から解除孔３８に向かって解除ピン５５を差し込む。
【００５８】
このとき、解除ピン５５は、開口部２４の周縁部に当接しながら解除孔３８に差し込まれるので、解除ピン５５が所定の姿勢に保たれることとなる。また、開口部２４から解除孔３８に差し込んだ解除ピン５５は、解除孔３８の傾斜部３８ａに沿ってガイドされながら、速結端子４０のバネ部４１までスムーズに導かれる。
【００５９】
このように、解除孔３８の内部における解除ピン５５の自由な移動を規制することで、速結端子４０のバネ部４１が解除ピン５５でこじられて過剰に変形するのを抑えることができる。
【００６０】
そして、解除ピン５５の先端部で速結端子４０のバネ部４１を押圧して、バネ部４１を弾性変形させる。これにより、電源ケーブル１８と速結端子４０との係合状態を解除して、電源ケーブル１８をケーブル挿入口３３から引き抜くことができる。
【００６１】
なお、本実施形態に示すような速結端子４０を有するソケット２０として、例えば、ＣＯＢ（Chip on Board）モジュール用のホルダソケットであってもよい。
【産業上の利用可能性】
【００６２】
以上説明したように、本発明は、速結端子のバネ部が過剰に変形するのを抑えることができるという実用性の高い効果が得られることから、きわめて有用で産業上の利用可能性は高い。
【符号の説明】
【００６３】
１０    照明器具
１２    光源ユニット
１８    電源ケーブル（導電線）
２０    ソケット
２１    フランジ部
２２    中央開口
２４    開口部
３０    端子部
３３    ケーブル挿入口
３８    解除孔
３８ａ  傾斜部
３９    貫通口
４０    速結端子
４１    バネ部
【図１】
2020136207.tif 000003
【図２】
2020136207.tif 000004
【図３】
2020136207.tif 000005
【図４】
2020136207.tif 000006
【図５】
2020136207.tif 000007
【図６】
2020136207.tif 000008
【図７】
2020136207.tif 000009